(57)【要約】【課題】  段ボールの使用量を抑制しながら多くの瓶類を効率的に保持する。【解決手段】  一枚の複両面段ボールで構成し、天板１１の周囲の対向する側板１３と底板１４を内側へ直角に折り込むとともに、底板１４から伸びる支持板１５を半切線２０を境に外側へ折り込んで縦向きとなるように重ね合わせ、対向する側板１６を内側へ折り込むとともに、底板１７を底板１４に重ね合わせて差込片１８を差込口１４ａ，１５ａに差し込んで組み立てる。この段ボール製中枠１０を段ボール箱Ｄの底部に２体突き合わせて配置し、各保持穴１２に一升瓶Ａを挿入して支持板１５と差込片１８で保持する。【選択図】図１
0003127526.tif 000002
【実用新案登録請求の範囲】
【請求項１】
瓶類を立てた状態に保持するための一枚の段ボールで組み立てられる段ボール製支持台であって、前記段ボールは、天板となる部分に瓶類を差し込む保持穴を形成し、天板の四辺に側板を設け、対向する側板の端部に瓶類の底面を支持する支持板を設け、隣接した対向する側板の端部に差込片を設け、支持板に差込片を差し込む差込口を形成して構成し、天板の四辺の各側板を下方へ直角に曲折するとともに内側へ折り込み、支持板を天板の下方位置で縦向きとなるように折り畳み、折り畳んだ状態の支持板の差込口に差込片を差し込んで組み立てられて成る、段ボール製支持台。
【請求項２】
段ボールが複両面段ボールで構成されたものである、請求項１記載の段ボール製支持台。
【請求項３】
請求項１又は２記載の段ボール製支持台が、箱内の底部に配置して瓶類を箱内で定位置に収容保持するための中枠として使用されるものである、段ボール製支持台。
【考案の詳細な説明】
【技術分野】
【０００１】
本考案は、主として箱内に収容した瓶類を立てた状態に保持するための中枠として使用される段ボール製支持台に関する。
【背景技術】
【０００２】
従来、一升瓶等の瓶類は段ボール箱内に複数本収容する際、そのまま収容すると運搬時の振動や衝撃で隣接する瓶類と接触したり底付きしたりして傷つく。そこで、瓶類が挿入できる円状の凹所が成形された発泡スチロール製の中枠を段ボール箱内に配置して収容し、瓶類同士の接触防止と発泡スチロールの緩衝作用により保護できるようにしている。しかしながら、発泡スチロールは不要となった際に容易に廃棄処分できないという問題があった。
【０００３】
これに対し、容易に廃棄処分できる段ボールで中枠を構成した技術が特許文献１，２で開示されている。これらの技術の中枠は、瓶類の底面及び側面を上下に渡って保護できるように縦方向に製作されている。しかし、この中枠は１本の瓶類に対して２体必要であるから、段ボール箱に収容した際に空間を大きく取って瓶類の収容効率が低下するとともに、段ボールの使用量も多くなってコストがかかる問題があった。
【特許文献１】実開平７−８１６号公報
【特許文献２】実開平７−８１７号公報
【考案の開示】
【考案が解決しようとする課題】
【０００４】
本考案が解決しようとする課題は、従来のこれらの問題点を解消し、使用する段ボールの量を抑制しながら多くの瓶類を効率的に保持できる段ボール製支持台を提供することにある。
【課題を解決するための手段】
【０００５】
かかる課題を解決した本考案の構成は、
１）  瓶類を立てた状態に保持するための一枚の段ボールで組み立てられる段ボール製支持台であって、前記段ボールは、天板となる部分に瓶類を差し込む保持穴を形成し、天板の四辺に側板を設け、対向する側板の端部に瓶類の底面を支持する支持板を設け、隣接した対向する側板の端部に差込片を設け、支持板に差込片を差し込む差込口を形成して構成し、天板の四辺の各側板を下方へ直角に曲折するとともに内側へ折り込み、支持板を天板の下方位置で縦向きとなるように折り畳み、折り畳んだ状態の支持板の差込口に差込片を差し込んで組み立てられて成る、段ボール製支持台
２）  段ボールが複両面段ボールで構成されたものである、前記１）記載の段ボール製支持台
３）  前記１）又は２）記載の段ボール製支持台が、箱内の底部に配置して瓶類を箱内で定位置に収容保持するための中枠として使用されるものである、段ボール製支持台
にある。
【考案の効果】
【０００６】
本考案によれば、瓶類の下部のみを保持するだけで隣接する瓶類との接触及び底付きが従来技術と同等に防止され、しかも段ボールの使用量を従来技術より低減して低コストで実施できるようになる。
【考案を実施するための最良の形態】
【０００７】
本考案の段ボール製支持台は、主として箱内の底部に配置して中枠として使用されるが、保持した状態の瓶類の大部分が露出されるため、陳列用として単体で使用することもできる。段ボールは複両面段ボールを使用すると支持強度をより高めることができる。以下、本考案の実施例を図面に基づいて具体的に説明する。
【実施例１】
【０００８】
図１〜５に示す実施例は、本考案の段ボール製支持台を箱内で一升瓶を２本保持できる段ボール製中枠として使用した例である。図１は実施例の段ボール製中枠の使用状態を示す斜視図、図２は実施例の段ボール製中枠の一部切り欠き斜視図、図３は実施例の段ボール製中枠の展開図、図４，５は実施例の段ボール製中枠の組み立てを示す説明図である。
【０００９】
図中、１０は段ボール製中枠、１１は天板、１２は保持穴、１３は側板、１４は底板、１４ａは差込口、１５は支持板、１５ａは差込口、１５ｂは開口、１５ｃは凹所、１６は側板、１７は底板、１８は差込片、１９は折曲線、２０は半切線、Ａは一升瓶、Ｄは段ボール箱である。
【００１０】
本実施例の段ボール製中枠１０は一枚の複両面段ボールで製作され、図３に示すように、天板１１となる部分に一升瓶Ａを差し込む保持穴１２を２箇所形成し、天板１１の四辺に側板１３，１６を設け、対向する側板１３の端部に底板１４を設け、底板１４に差込口１４ａを形成し、底板１４に一升瓶Ａの底面を支持する支持板１５を設け、支持板１５に差込口１５ａと開口１５ｂを形成し、支持板１５に開口１５ｂの中央を境とした半切線２０を形成し、隣接した対向する側板１６の端部に底板１７を設け、底板１７に差込片１８を設けて構成している。
【００１１】
図４に示すように、側板１３と底板１４を内側へ直角に折り込むとともに、底板１４から伸びる支持板１５を半切線２０を境に外側へ折り込んで縦向きとなるように重ね合わせ、図５に示すように対向する側板１６を内側へ折り込むとともに、底板１７を底板１４に重ね合わせて差込片１８を差込口１４ａ，１５ａに差し込む。以上のようにして、図２に示す２本の一升瓶Ａを保持できる段ボール製中枠１０を組み立てる。
【００１２】
図１に示すように、この段ボール製中枠１０を段ボール箱Ｄの底部に２体突き合わせて配置し、各保持穴１２に一升瓶Ａを収容する。一升瓶Ａの底面は支持板１５の開口１５ｂで形成された凹所１５ｃと差込片１８の端部で所定高さに支持される。凹所１５ｃは一対の支持板１５の折り畳みで計４枚分の厚さとなっており、一升瓶Ａのような重い収容物でも問題なく支持できる。
【００１３】
このように、本実施例の段ボール製中枠１０は、一升瓶Ａの下部のみを保持するだけで隣接する一升瓶Ａとの接触及び底付きが従来技術と同等に防止されて安全に収容保持でき、しかも段ボールの使用量を従来技術より低減して低コストで実施できるようになった。
【産業上の利用可能性】
【００１４】
本考案の段ボール製支持台は、一升瓶等の縦長の瓶類の保持に好ましく使用できる。
【図面の簡単な説明】
【００１５】
【図１】実施例の段ボール製中枠の使用状態を示す斜視図である。
【図２】実施例の段ボール製中枠の一部切り欠き斜視図である。
【図３】実施例の段ボール製中枠の展開図である。
【図４】実施例の段ボール製中枠の組み立てを示す説明図である。
【図５】実施例の段ボール製中枠の組み立てを示す説明図である。
【符号の説明】
【００１６】
１０  段ボール製中枠
１１  天板
１２  保持穴
１３  側板
１４  底板
１４ａ  差込口
１５  支持板
１５ａ  差込口
１５ｂ  開口
１５ｃ  凹所
１６  側板
１７  底板
１８  差込片
１９  折曲線
２０  半切線
Ａ  一升瓶
Ｄ  段ボール箱
【図１】
0003127526.tif 000003
【図２】
0003127526.tif 000004
【図３】
0003127526.tif 000005
【図４】
0003127526.tif 000006
【図５】
0003127526.tif 000007